(57)【要約】【課題】小型のモータを用いてより大きな駆動力を提供しながらも、よりスリムな形態のウォールマウントを実現できる、ウォールマウント用アーム及びこれを備えたウォールマウントを提供する。【解決手段】本発明によるウォールマウント用アーム及びこれを備えたウォールマウントは、フレームと、フレームの一端に回転可能に結合される第１ヒンジ軸と、第１ヒンジ軸に結合される第１駆動ギアと、第１駆動ギアと噛み合うようにフレームに内蔵される第１ギアトレインと、第１ギアトレインを駆動させる第１モータと、を含み、第１ギアトレインは、同一平面上に配置される複数の回転軸及び回転軸に回転可能にそれぞれ結合される複数の減速ギアを含むことを特徴とする。【選択図】図１
2012526505.tif 000002
【特許請求の範囲】
【請求項１】
フレームと、
前記フレームの一端に回転可能に結合される第１ヒンジ軸と、
前記第１ヒンジ軸に結合される第１駆動ギアと、
前記第１駆動ギアと噛み合うように、前記フレームに内蔵される第１ギアトレインと、
前記第１ギアトレインを駆動させる第１モータと、を含み、
前記第１ギアトレインは、
同一平面上に配置される複数の回転軸と、
前記回転軸に回転可能にそれぞれ結合される複数の減速ギアと、
を含むウォールマウント用アーム。
【請求項２】
前記複数の回転軸は、互いに平行に配置されることを特徴とする請求項１に記載のウォールマウント用アーム。
【請求項３】
前記複数の減速ギアは、交互に前記回転軸にそれぞれ結合されることを特徴とする請求項２に記載のウォールマウント用アーム。
【請求項４】
前記フレームの他端に回転可能に結合される第２ヒンジ軸と、
前記第２ヒンジ軸に結合される第２駆動ギアと、
前記第２駆動ギアと噛み合うように、前記フレームに内蔵される第２ギアトレインと、
前記第２ギアトレインを駆動させる第２モータと、をさらに含み、
前記第２ギアトレインは、
同一平面上に配置される複数の回転軸と、
前記回転軸に回転可能にそれぞれ結合される複数の減速ギアと、を含む請求項１に記載のウォールマウント用アーム。
【請求項５】
前記第１モータは、タイミングベルトにより前記第１ギアトレインと連結されることを特徴とする請求項１に記載のウォールマウント用アーム。
【請求項６】
前記第１ヒンジ軸と前記第１駆動ギアとの間に介在される第１摩擦車部をさらに含む請求項１に記載のウォールマウント用アーム。
【請求項７】
ディスプレイ装置に結合され、第１ヒンジ軸が結合される結合具と、
一端に前記第１ヒンジ軸が回転可能に結合されるアームと、
前記第１ヒンジ軸に結合される第１駆動ギアと、
前記第１駆動ギアと噛み合うように、前記アームに内蔵される第１ギアトレインと、
前記第１ギアトレインを駆動させる第１モータと、
前記アームの他端に結合され、壁面に設置されるブラケットと、を含み、
前記第１ギアトレインは、
同一平面上に配置される複数の回転軸と、
前記回転軸に回転可能にそれぞれ結合される複数の減速ギアと、
を含むウォールマウント。
【請求項８】
前記複数の回転軸は、互いに平行に配置されることを特徴とする請求項７に記載のウォールマウント。
【請求項９】
前記複数の減速ギアは、交互に前記回転軸にそれぞれ結合されることを特徴とする請求項８に記載のウォールマウント。
【請求項１０】
前記ブラケットに結合され、前記アームの他端に回転可能に結合される第２ヒンジ軸と、
前記第２ヒンジ軸に結合される第２駆動ギアと、
前記第２駆動ギアと噛み合うように、前記アームに内蔵される第２ギアトレインと、
前記第２ギアトレインを駆動させる第２モータと、をさらに含み、
前記第２ギアトレインは、
同一平面上に配置される複数の回転軸と、
前記回転軸に回転可能にそれぞれ結合される複数の減速ギアと、を含む請求項７に記載のウォールマウント。
【請求項１１】
前記結合具は、
両端が前記ディスプレイ装置に締結されるように、前記第１ヒンジ軸の上端に結合される支持バーと、
前記ディスプレイ装置の揺れを防止するように、前記ディスプレイ装置の背面を支持し、第１ヒンジ軸の下端に結合される摩擦部と、を含むことを特徴とする請求項７に記載のウォールマウント。
【請求項１２】
前記第１駆動部は、タイミングベルトにより前記第１ギアトレインと連結されることを特徴とする請求項７に記載のウォールマウント。
【請求項１３】
前記第１ヒンジ軸と前記第１駆動ギアとの間に、第１摩擦車部をさらに含む請求項７に記載のウォールマウント。
【請求項１４】
前記第１ヒンジ軸の回転量を測定する第１センサ部をさらに含む請求項７に記載のウォールマウント。
【発明の詳細な説明】
【技術分野】
【０００１】
本発明は、ウォールマウント（Ｗａｌｌ  Ｍｏｕｎｔ）用アーム及びこれを備えたウォールマウントに関する。
【背景技術】
【０００２】
ＬＣＤテレビやＰＤＰテレビのように平板型ディスプレイ装置は狭い空間を効率的に使用できるという長所から、ブラウン管テレビを代替しているし、今後ともその需要は増える見込みである。このような平板型ディスプレイ装置は主に壁面に設置され、室内空間の活用や、美麗な外観を得ることができる。
【０００３】
最近、このような平板型ディスプレイ装置が薄型化になるにつれて、平板型ディスプレイ装置を壁面に設置するためのウォールマウントも薄型化あるいはスリム化になって行く趨勢にある。
【０００４】
特に、その内部に電動装置が備えられ、自動で、平板型ディスプレイ装置の壁面から離隔する距離または視聴角度を調整することができるウォールマウントは、平板型ディスプレイ装置の大型化の趨勢に伴って、より大きな駆動力を具備しなければならない状況にある。
【０００５】
つまり、平板型ディスプレイ装置が壁面から大きく離隔しないように、薄型の形態を有しながらも、より大きな駆動力を得ることができるウォールマウントが望まれている。
【０００６】
しかし、ウォールマウントの駆動力を高めるためには、より大きなトルクを得ることができる駆動部、すなわちより大きいサイズのギヤードモータ（ｇｅａｒｅｄ  ｍｏｔｏｒ）を具備しなければならないが、これはウォールマウントの薄型化に障害となっており、ウォールマウントの薄型化に技術的障壁として作用している。
【発明の概要】
【発明が解決しようとする課題】
【０００７】
本発明は、スリムな形態を有しながらも、より向上した駆動力を具備するウォールマウント用アーム及びこれを備えたウォールマウントを提供することを目的とする。
【課題を解決するための手段】
【０００８】
本発明の一側面によれば、フレーム、フレームの一端に回転可能に結合される第１ヒンジ軸、第１ヒンジ軸に結合される第１駆動ギア、第１駆動ギアと噛み合うようにフレームに内蔵される第１ギアトレイン、及び第１ギアトレインを駆動させる第１モータを含み、第１ギアトレインは同一平面上に配置される複数の回転軸及び回転軸に回転可能にそれぞれ結合される複数の減速ギアを含む、ウォールマウント用アームが提供される。
【０００９】
ここで、複数の回転軸は、互いに平行に配置されてもよく、複数の減速ギアは、交互に回転軸にそれぞれ結合されてもよい。
【００１０】
ウォールマウント用アームは、フレームの他端に回転可能に結合される第２ヒンジ軸、第２ヒンジ軸に結合される第２駆動ギア、第２駆動ギアと噛み合うようにフレームに内蔵される第２ギアトレイン、及び第２ギアトレインを駆動させる第２モータをさらに含むことができ、第２ギアトレインは、同一平面上に配置される複数の回転軸及び回転軸に回転可能にそれぞれ結合される複数の減速ギアを含むことができる。
【００１１】
一方、第１モータはタイミングベルトにより第１ギアトレインと連結可能であり、ウォールマウント用アームは、第１ヒンジ軸と第１駆動ギアとの間に介在される第１摩擦車部をさらに含むことができる。
【００１２】
また、本発明の他の側面によれば、ディスプレイ装置に結合され、第１ヒンジ軸が結合される結合具、一端に第１ヒンジ軸が回転可能に結合されるアーム、第１ヒンジ軸に結合される第１駆動ギア、第１駆動ギアと噛み合うようにアームに内蔵される第１ギアトレイン、第１ギアトレインを駆動させる第１モータ、及びアームの他端に結合され、壁面に設置されるブラケットを含み、第１ギアトレインは、同一平面上に配置される複数の回転軸及び回転軸に回転可能にそれぞれ結合される複数の減速ギアを含む、ウォールマウントが提供される。
【００１３】
ここで、複数の回転軸は、互いに平行に配置されてもよく、複数の減速ギアは、交互に回転軸にそれぞれ結合されてもよい。
【００１４】
ウォールマウントは、ブラケットに結合され、フレームの他端に回転可能に結合される第２ヒンジ軸、第２ヒンジ軸に結合される第２駆動ギア、第２駆動ギアと噛み合うようにフレームに内蔵される第２ギアトレイン、及び第２ギアトレインを駆動させる第２モータをさらに含んでもよく、第２ギアトレインは同一平面上に配置される複数の回転軸及び回転軸に回転可能にそれぞれ結合される複数の減速ギアを含んでもよい。
【００１５】
また、結合具は、両端がディスプレイ装置に締結されるように、第１ヒンジ軸の上端に結合される支持バーと、ディスプレイ装置の揺れを防止するように、ディスプレイ装置の背面を支持し、第１ヒンジ軸の下端に結合される摩擦部とを含んでもよい。
【００１６】
一方、第１モータは、タイミングベルトにより第１ギアトレインと連結可能であり、ウォールマウントは、第１ヒンジ軸と第１駆動ギアとの間に介在される第１摩擦車部をさらに含んでもよく、第１ヒンジ軸の回転量を測定する第１センサ部をさらに含んでもよい。
【発明の効果】
【００１７】
本発明の実施例によれば、小型のモータを用いてより大きな駆動力を提供しながらも、よりスリムな形態のウォールマウントを実現することができる。
【図面の簡単な説明】
【００１８】
【図１】本発明の一実施例に係るウォールマウントを示す斜視図である。
【図２】本発明の一実施例に係るウォールマウントの一部を示す平面図である。
【図３】本発明の一実施例に係るウォールマウントの第１モータ、第１ギアトレイン及び第１ヒンジ軸を示す平面図である。
【図４】本発明の一実施例に係る第１ヒンジ軸を示す平面図である。
【図５】本発明の一実施例に係るウォールマウントの結合具を示す平面図である。
【図６】本発明の一実施例に係るウォールマウントのブラケットを示す分解四時図である。
【発明を実施するための形態】
【００１９】
本発明の特徴、利点は、以下の図面および発明の詳細な説明から、より明確になる。
【００２０】
以下、本発明によるウォールマウントの実施例を添付図面を参照して詳細に説明し、添付図面を参照して説明することにおいて、同一または対応する構成要素には同一の図面番号を付し、これに対する重複説明は省略する。
【００２１】
図１は、本発明の一実施例に係るウォールマウント１０００を示す斜視図である。図１に示すように、本発明の一実施例によるウォールマウント１０００は、結合具５００、アーム１００及びブラケット６００を備える。
【００２２】
ウォールマウント１０００は、平板型ディスプレイ装置を壁面に設置するための装置であって、ブラケット６００は壁面に設置固定され、結合具５００は平板型ディスプレイ装置に締結される。アーム１００は、ブラケット６００と結合具５００との間に回転可能にヒンジ結合される。
【００２３】
ここで、結合具５００がアーム１００の一端に対して回転すると、平板型ディスプレイ装置の視聴角度を調整することができ、ブラケット６００がアーム１００の他端に対して回転すると、平板型ディスプレイ装置を壁面から離隔することができる。
【００２４】
また、アーム１００がブラケット６００及び結合具５００に対して同時に回転して、平板型ディスプレイ装置が壁面と平行な配置関係をなし、壁面から離隔可能となる。
【００２５】
図２は、本発明の一実施例に係るウォールマウント１０００の一部を示す平面図である。図２に示すように、アーム１００は、フレーム１１０、第１ヒンジ軸２１０、第１駆動ギア２１１、第１ギアトレイン３１０、第１モータ４１０、第２ヒンジ軸２２０、第２駆動ギア２２２、及び第２モータ４２０などを含む。
【００２６】
フレーム１１０はアーム１００の骨格をなす部分であって、長手方向に延長される形態を有する。フレーム１１０は、アーム１００を構成する要素がその内部に設けられるように、その内部に空間が形成される。
【００２７】
第１ヒンジ軸２１０は、アーム１００の一端に回転可能に結合される。第１ヒンジ軸２１０は、後述する結合具５００の一部をなし得る構成であって、アーム１００と結合具５００とがヒンジ結合できるように軸をなしている。
【００２８】
第２ヒンジ軸２２０は、アーム１００の他端に回転可能に結合される。第２ヒンジ軸２２０は、後述するブラケット６００の一部をなすことができ、アーム１００とブラケット６００とがヒンジ結合できるように軸をなしている。
【００２９】
第１駆動ギア２１１は、第１ヒンジ軸２１０に結合される。第１駆動ギア２１１は、後述する第１ギアトレイン３１０により発生された動力を結合具５００に伝達することができる。
【００３０】
第１ギアトレイン３１０は、アーム１００の内部に設けられ、第１モータ４１０により発生された駆動力を第１駆動ギア２１１に伝達する。第１ギアトレイン３１０は、複数の減速ギアを含むことにより、大きな減速比を有することになる。
【００３１】
第１モータ４１０は、第１ギアトレイン３１０を駆動させる。第１モータ４１０はタイミングベルトにより第１ギアトレイン３１０の末端のギアと連結される。タイミングベルトは、第１モータ４１０による回転を誤差なしに第１ギアトレイン３１０に伝達することができ、第１モータ４１０と第１ギアトレイン３１０との間の動力伝達過程で発生する騷音を低減することができる。
【００３２】
第２ギアトレイン３２０及び第２モータ４２０は、アーム１００の中心を基準として、第１ギアトレイン３１０及び第２モータ４２０と相互点対称する配置関係をなし、フレーム１１０の内部に設けられる。
【００３３】
図３は、本発明の一実施例に係るウォールマウント１０００の第１モータ４１０、第１ギアトレイン３１０、及び第１ヒンジ軸２１０を示す平面図である。図３に示すように、第１ギアトレイン３１０は、能動ギア３１２、減速ギア部３２０を含む。
【００３４】
能動ギア３１２は、第１モータ４１０と減速ギアとの間に介在され、タイミングベルトにより第１モータ４１０からの動力を受け、この動力を減速ギア部３２０に伝達する。
【００３５】
減速ギア部３２０は２つの回転軸３２２、３２４と、これに回転可能にそれぞれ結合される六つの減速ギア３２６ａ、３２６ｂ、３２６ｃ、３２６ｄ、３２６ｅ、３２６ｆを含む。
【００３６】
ここで、２つの回転軸３２２、３２４は、同一平面上に互いに平行に配置される。
そして、第１モータ４１０、能動ギア３１２、減速ギア３２６ａ、３２６ｂ、３２６ｃ、３２６ｄ、３２６ｅ、３２６ｆの回転軸３２２、３２４、及び第１ヒンジ軸２１０は、互いに平行に配置される。減速ギア３２６ａ、３２６ｂ、３２６ｃ、３２６ｄ、３２６ｅ、３２６ｆは、２つの回転軸３２２、３２４に互いに対をなし、交互に回転可能に結合される。
【００３７】
能動ギア３１２が回転すると、これと噛み合う第１減速ギア３２６ａが回転することになり、第１減速ギア３２６ａは第２減速ギア３２６ｂと噛み合って動力を伝達する。したがって、第１モータ４１０により発生された動力は、第１乃至第６減速ギア３２６ａ、３２６ｂ、３２６ｃ、３２６ｄ、３２６ｅ、３２６ｆを通す間にその回転速度が低減し、トルクは増加することになる。
【００３８】
したがって、第１ギアトレイン３１０は、より多い減速ギアを、限定された空間に配置することにより、より大きな減速比を実現することができ、より小容量の小型第１モータ４１０を用いることができるようになる。
【００３９】
第１ギアトレイン３１０及び第１モータ４１０の厚さはアーム１００の厚さを決める主な要因であって、第１ギアトレイン３１０及び第１モータ４１０の厚さの減少は、よりスリムなアーム１００の実現に決定的に寄与する。
【００４０】
さらに、アーム１００の厚さを減少させると、ウォールマウント１０００の厚さを減少させることができるようになり、平板型ディスプレイ装置が壁面から離隔する距離を減少させることができる。
【００４１】
つまり、第１ギアトレイン３１０と、第１ギアトレイン３１０及び第１モータ４１０及び第１ヒンジ軸２１０のこのような配置構造は、より美麗な外観のウォールマウント１０００を提供できるようにする。
【００４２】
第１ギアトレイン３１０の末端に結合される第６減速ギア３２６ｆは、第１駆動ギア２１１と噛み合い、第１モータ４１０の動力を第１ヒンジ軸２１０に伝達する。これにより、第１ヒンジ軸２１０が回転することになり、結合具５００の回転により平板型ディスプレイ装置の視聴角度を調整できるようになる。
【００４３】
第１ヒンジ軸２１０には平ギア７１２が結合可能であり、平ギア７１２は第１センサ部７１０と噛み合うことになる。第１センサ部７１０は、第１ヒンジ軸２１０を測定することができる。第１センサ部７１０は、例えばポテンシャルメータのように、回転量を測定することができるセンサで実現可能である。
【００４４】
第２ヒンジ軸２２０、第２ギアトレイン３２０、第２モータ４２０及び第２センサ部７２０も、上述のような結合関係をなすことができる。
【００４５】
ウォールマウント１０００は、第１モータ４１０、第２モータ４２０、第１センサ部７１０、及び第２センサ部７２０と電気的に接続され、これらの動作を制御する制御部を備えることができる。制御部は、使用者の操作で第１モータ４１０及び第２モータ４２０に動作信号を印加し、これらを動作させることができる。
【００４６】
さらに、制御部は、第１センサ部７１０及び第２センサ部７２０から第１ヒンジ軸２１０及び第２ヒンジ軸２２０の回転量を受信し、第１モータ４１０及び第２モータ４２０が目標回転量だけ動作したかを認識し、第１モータ４１０及び第２モータ４２０が目標回転量だけ動作するように、動作信号を維持することができる。
【００４７】
図４は、本発明の一実施例に係る第１ヒンジ軸２１０を示す平面図である。図４に示すように、第１駆動ギア２１１と第１ヒンジ軸２１０との間には第１摩擦車部２１５が介在されてもよい。
【００４８】
シャフト２１２は、長手方向に延長され、その中央付近に支持部２１４が形成される。支持部２１４はシャフト２１２と一体に形成され、シャフト２１２の周りに沿って突出する形態を有する。
【００４９】
第１駆動ギア２１１は、シャフト２１２に対して回転可能に結合される。第１駆動ギア２１１の両側には第１摩擦車部２１５が結合される。
【００５０】
第１駆動ギア２１１の一側の第１摩擦車部２１５は、第１駆動ギア２１１に接する２つのスリップワッシャ２１６、スリップワッシャ２１６に接するスプリングワッシャ及び支持部２１４を含む。
【００５１】
スプリングワッシャ２１８は、中空部が形成される円板形状を有し、その内側と外側との高さの差によりその上下方向へ弾性力を提供することができ、スリップワッシャ２１６と支持部２１４との間に介在されて、これら間に弾性力を提供する。
【００５２】
第１駆動ギア２１１の他側の第１摩擦車部２１５は、２つのスリップワッシャ２１６、２つのスプリングワッシャ２１８、及びナット２１９を含む。スリップワッシャ２１６は第１駆動ギア２１１に接し、スプリングワッシャ２１８は、スリップワッシャ２１６とナット２１９との間に介在される。
【００５３】
ナット２１９は、シャフト２１２の外周面に形成されるねじ山と噛み合い、スプリングワッシャ２１８を支持部２１４側へ加圧することができる。したがって、ナット２１９の回転量を調節して第１駆動ギア２１１とシャフト２１２との間の摩擦力を調節することができ、これにより、第１駆動ギア２１１とシャフト２１２との間にスリップが発生する時点を調節することができる。
【００５４】
つまり、第１摩擦車部２１５は、結合具５００が外力により回転する場合、当該外力により第１モータ４１０及び第１ギアトレイン３１０が損傷を受けることを防止することができる。
【００５５】
第２ヒンジ軸２２０と第２駆動ギア２２２との結合関係は、上述した第１ヒンジ軸２１０と第１駆動ギア２１１との結合関係と同一に形成される。
【００５６】
図５は、本発明の一実施例に係るウォールマウント１０００の結合具５００を示す平面図である。図５に示すように、結合具５００は、支持バー５１０、第１ヒンジ軸２１０及び摩擦部５２０を含む。
【００５７】
結合具５００は、平板型ディスプレイ装置に締結され、ウォールマウント１０００に平板型ディスプレイ装置が結合される部分である。
【００５８】
支持バー５１０の中央は、第１ヒンジ軸２１０の上端に結合され、両側に延長される形態を有する。支持バー５１０の一面には、平板型ディスプレイ装置との締結が容易となるように締結孔２１２が形成される。締結孔２１２は平板型ディスプレイ装置の背面とねじ結合するための孔を提供する。つまり、支持バー５１０は平板型ディスプレイ装置の背面の両側に締結されて、平板型ディスプレイ装置の両側の２箇所を支持することになる。
【００５９】
摩擦部５２０の中央は、第１シャフト２１２の下端に結合される。摩擦部５２０は、第１ヒンジ軸２１０の下端に結合される支持プレート５２２と支持プレート５２２の一面に結合されるラバー（ｒｕｂｂｅｒ）５２４とを含む。摩擦部５２０は、平板型ディスプレイ装置の下側をラバー５２４で支持し、平板型ディスプレイ装置の揺れを防止することができる。ここで、ラバー５２４は、平板型ディスプレイ装置の背面と大きな摩擦力を得ることができる他の材料で代替してもよいことは勿論である。
【００６０】
つまり、結合具５００の平板型ディスプレイ装置の背面の３箇所支持構造を形成して、平板型ディスプレイ装置を安定的に支持しながらも、その締結部位を２つに低減させて設置の容易性を向上させることができる。
【００６１】
図６は、本発明の一実施例によるウォールマウント１０００のブラケット６００を示す分解斜視図である。図６に示すように、第２ヒンジ軸２２０は、締結具６２０によりブラケット６００に結合される。締結具６２０は、第２ヒンジ軸２２０の両端に、第２ヒンジ軸２２０に対してブラケット６００の相対的な回転が発生しないように結合される。
【００６２】
ブラケット６００は壁面に設置される部分であって、壁面への設置が容易となるように、上側に２つ、下側に１つの設置孔６０２が形成される。
【００６３】
カバー６３０は、第２ヒンジ軸２２０及びブラケット６００をカバーし、ブラケット６００の外観を改善することができる。
【００６４】
以上では、本発明の好ましい実施例を参照して説明したが、当該の技術分野で通常の知識を有する者であれば下記の特許請求の範囲に記載した本発明の思想及び領域から逸脱しない範囲内で本発明を多様に修正及び変更できることを理解できよう。
【符号の説明】
【００６５】
１００  アーム
２１０  第１ヒンジ軸
３１０  第１ギアトレイン
４１０  第１モータ
５００  結合具
６００  ブラケット
７１０  第１センサ部
１０００  ウォールマウント
【図１】
2012526505.tif 000003
【図２】
2012526505.tif 000004
【図３】
2012526505.tif 000005
【図４】
2012526505.tif 000006
【図５】
2012526505.tif 000007
【図６】
2012526505.tif 000008
【国際調査報告】
2012526505.tif 000009
2012526505.tif 000010
2012526505.tif 000011
2012526505.tif 000012